(57)【要約】      （修正有）【課題】常時家庭用として、また仏事のときの参列者用として、仏壇の前に敷く多目的な要求に適合した仏前マット座布団を提供する。【解決手段】大きさＬ，Ｗが１００ｃｍ×６０ｃｍ、厚みＴが３．５ｃｍ〜５ｃｍ程度からなるマット座布団に腰掛けマット２を着脱自在に付設した仏前マット座布団１を構成するものである。【選択図】図１
0003119503.tif 000002
【実用新案登録請求の範囲】
【請求項１】
大きさが１００ｃｍ×６０ｃｍ、厚みが３．５ｃｍ〜５ｃｍ程度からなるマット座布団に腰掛けマットを着脱自在に付設したことを特徴とする仏前マット座布団。
【請求項２】
前記仏前マット座布団の表装の両面または片面が、仏教の伝統的文様の金蘭織物やジャガ−ド織物またはゴブラン織物に難燃加工のフェルトをボンディングした難燃生地からなる請求項１に記載の仏前マット座布団。
【請求項３】
前記仏前マット座布団の中綿に、ポリエステル圧縮綿を使用した請求項１又は請求項２に記載の仏前マット座布団。
【請求項４】
前記仏前マット座布団の表装の片面に、天然イグサの花茣蓙織物を使用し、中綿内に発熱体を配設し、夏冬兼用にした請求項１に記載の仏前マット座布団。
【請求項５】
着脱自在の腰掛けマットの断面を、縦と横の寸法が異なる矩形状にし、高さを調節しうるようにした請求項１ないし請求項４のいずれかに記載の仏前マット座布団。
【考案の詳細な説明】
【技術分野】
【０００１】
本考案は仏壇の前に敷く仏前マット座布団に関するものである。
【背景技術】
【０００２】
仏壇の前に敷くものとしては、現在、座布団（主に僧侶用）や、その下に敷くカ−ペットマットしかなく、仏壇の前に敷く一般家庭用や仏事のときの参列者用として使用するものがない。
【０００３】
仏事用マットでは、薄すぎるため、高齢者や身体の不自由な者には不向きであり、またサイズも大きすぎてマットの機能しか有さない。
【０００４】
一方、仏前の座布団は、主として僧侶用とされており、一般の家庭で使用するには不釣り合いであり、嵩高で、座ったときに滑りやすく不安定である。また、厚みがあるため、収納するにも場所をとるものとなっている。
【０００５】
そして、正座を楽にするためには、段差を設けた腰掛けマツトが有効であり、これを着脱自在に付設することが好ましい。座布団に段差を設ける先行技術は、従来から種々提案されている（例えば、特許文献１、特許文献２、特許文献３、特許文献４、特許文献５）。
【０００６】
【特許文献１】実開昭５６−１４２６５３号公報
【特許文献２】特開２００３−２４５１６６号公報
【特許文献３】実開昭６０−１４２６６３号公報
【特許文献４】特開平１０−１２７４２７号公報
【特許文献５】特開２００３−２８４６２４号公報
【０００７】
特許文献１の請求項２には、下方座体と上方座体を別個に構成することが、特許文献２には、小さな座布団が脱着可能であることが、特許文献３には、係止具を使用することが、特許文献２には、マジックテープ（登録商標）で合わせることが、特許文献４には、小さな小座布団が記載されている。しかし、これ等の先行技術は、仏前マット座布団に関するものでもなく、また高さの調節ができるものでもなかった。
【０００８】
また夏期用の座布団としては、表装に天然イグサの花茣蓙織物を使用することが、また冬期用の座布団としては、暖房できるものであることが望ましい。表装にイグサを使用した座布団は、従来から公知である（例えば、特許文献６、特許文献７）。また、座布団に暖房用の電線を入れた先行技術も、開示されている（例えば、特許文献８）。
【０００９】
【特許文献６】実開昭５４−１１７３１１号公報
【特許文献７】特開２００２−１１２８５４号公報
【特許文献８】実開平７−７５５４号公報
【００１０】
特許文献６は、表装の両面共にイグサを使用したものであり、特許文献７は、暖房の出来ないものであり、特許文献８は、一般的な電気座布団に関するものである。そのため、夏は涼しく冬は暖かい仏前マット座布団なら、年間を通じて仏事用として最適なものとなる。しかし、暖房カーペットではサイズが大きすぎて一人の礼拝用には不向きであり、また厚みのある座布団では保温性が低く機能性も悪い。そして、難燃性を付与した生地による保温座布団は、従来見当らなかった。
【考案の開示】
【考案が解決しようとする課題】
【００１１】
上記の事情に鑑み本考案は、常時家庭用として、また仏事のときの参列者用として、仏壇の前に敷く多目的な要求に適合した仏前マット座布団の提供を課題とする。
【課題を解決するための手段】
【００１２】
本考案は上記課題を達成するために、大きさが１００ｃｍ×６０ｃｍ、厚みが３．５ｃｍ〜５ｃｍ程度からなるマット座布団に腰掛けマットを着脱自在に付設した仏前マット座布団を構成するものである。
【考案の効果】
【００１３】
本考案の仏前マット座布団は、僧侶用の座布団や仏事用マットに代わって、一般家庭用や仏事のときの参列者用として、常時仏壇の前に敷いておくことができる。
【００１４】
本考案の仏前マット座布団は、薄すぎず、サイズも適当で、高齢者や身障者にも向いている。
【００１５】
本考案の仏前マット座布団は、僧侶用の座布団と比較して、一般家庭向きで、座ったとき滑りにくく安定しており、場所をとらずに収納しやすい。
【００１６】
本考案の仏前マット座布団は、正座が容易になると同時に、複数枚を並べて設置した場合に、座布団に比べて相互の境界部分がなく、多くの人数用にも使用することができる。
【００１７】
本考案の仏前マット座布団は、一枚で、マットと座布団の機能を有するため、経済的にも、外見的にも大きな効果が得られる。
【００１８】
本考案の仏前マット座布団に、腰掛けマットを付設すれば、高齢者や正座の苦手な人でも、楽に座ることができる。また腰掛けマットの断面を矩形にして、その向きを変えるようにすれば、高さを調節することができる。
【００１９】
本考案の仏前マット座布団の中綿内に、発熱体を配線すれば、寒冷時に保温の効果が得られる。
【００２０】
本考案の仏前マット座布団の表装の表側の片面に、仏教の伝統的文様の金蘭織物やジャガ−ド織物またはゴブラン織物の生地を使用し、裏側の片面には、天然イグサの花茣蓙織物を使用すると、年間を通じて仏前用や仏事用としての使用価値が高まり、また一般商品との差別化が明確となる。
【００２１】
本考案の仏前マット座布団と腰掛けマットは、別売りにすれば、単品として消費者の要望に対応することができる。
【考案を実施するための最良の形態】
【００２２】
以下、本考案の実施形態を図に基づいて詳しく説明する。
【実施例１】
【００２３】
図１は、本考案の仏前マット座布団に腰掛けマットを付設した一実施例を示す斜視図、図２は、図１の分解斜視図である。図３は、本考案の仏前マット座布団の一実施例を示す縦断面図である。図４は、本考案の仏前マット座布団の表装の生地の一実施例を示し、（イ）は表生地が金蘭織物の平面図、（ロ）は裏生地がイグサの花茣蓙織物の平面図である。図５は、本考案の仏前マット座布団の表装の生地の別な実施例を示し、（イ）は表生地がゴブラン織物の平面図、（ロ）は裏生地がイグサの花茣蓙織物の平面図である。
【００２４】
本実施例の仏前マット座布団１は、仏壇の前に敷くマット座布団であって、横Ｗが１００ｃｍ、縦Ｌが６０ｃｍ程度の長方形からなっており、マットよりは小さいが、外見上はマットの機能を備えている。しかし、本考案の仏前マット座布団は、このサイズに限定されるものではなく、また形状も長方形に限るものではない。
【００２５】
そして本考案の仏前マット座布団１の厚みＴは、３．５ｃｍ〜５ｃｍ程度であり、従来のマットよりは厚く、座布団より薄いものからなっている。そのため、正座が容易になると同時に、複数枚を並べて設置した場合に、座布団に比べて相互の境界部分がなく、多くの人数用にも使用することができる。
【００２６】
本考案の仏前マット座布団１には、簡単に取り外し可能な腰掛けマット２を着脱自在に付設することができ、これによって、腰掛け機能を付与することができる。
【００２７】
本実施例の腰掛けマット２は、縦ｌが１５ｃｍ、横ｗが１０ｃｍ、長さｎが２５ｃｍ程度のもので、この底辺の中央部と仏前マット座布団１には、マジックテープ（登録商標）３ａ，３ｂを取り付けて、着脱自在に一体化できるようにしており、これにより高齢者や身体的に正座の苦手な人に適応させることができる。なお腰掛けマット２の中味は、弾力性のない軽量スポンジ等が使用できる。
【００２８】
本実施例の仏前マット座布団１の表装の片面表地４は、ジャガード織物または金蘭織物５あるいはゴブラン織物１５の生地と、難燃加工のフェルト６とをボンディングして、二重になった生地を使用している。これによって、防燃効果を出している。
【００２９】
ゴブラン織１５は、組織的にはジャガード織物に包含されるが、特に新仏壇向きの用途も考えられ、先行技術にも開示されていないので、本考案では別途に羅列しておいた。一方、中綿７には、ポリエステル圧縮綿を使っている。圧縮して、弾力が中和された綿を使用することによって、座ったときの安定性を確保している。
【００３０】
本考案の仏前マット座布団１の表装は、両面の生地とも、ジャガード織物または金蘭織物の生地あるいはゴブラン織物にすることができる。しかし本実施例の場合は、片面の裏地に、天然イグサの花茣蓙織物８，１８を使用し、夏向き用にも則したものとしている。
【００３１】
従って、本考案の仏前マット座布団１を使用すると、マットの上に座布団を敷く必要がなく、一枚でその効果を得ることができ、多目的の要求に応ずることができる。
【実施例２】
【００３２】
図６は、本考案の仏前マット座布団に腰掛けマットを付設した状態を示し、（イ）は腰掛けマットの高さを低くした時の分解縦断面図、（ロ）は腰掛けマットの高さを高くした時の分解縦断面図である。
【００３３】
本実施例の仏前マット座布団２１に付設する腰掛けマット２２は、断面が実施例１と同様に、１５ｃｍ×１０ｃｍの矩形状からなっている。本実施例の場合は、仏前マット座布団２１の一方のマジックテープ（登録商標）２３ｂは一個であるが、これに対して、腰掛けマット２２の他方のマジックテープ（登録商標）は、縦方向１５ｃｍの中央部のマジックテープ（登録商標）２３ａと、横方向１０ｃｍの中央部のマジックテープ（登録商標）２３ａ´の両方が取り付けられている。ここで一方のマジックテープ（登録商標）と、他方のマジックテープ（登録商標）と称したのは、マジックテープ（登録商標）は、多数の鉤を備えた一方のテープと、多数のループを備えた他方のテープとの２個の支持体の鉤止部材の組合せから成り立っているものである。
【００３４】
そのため、仏前マット座布団２１側の、一方のマジックテープ（登録商標）２３ｂに対し、（イ）のように腰掛けマット２２側の、他方のマジックテープ（登録商標）２３ａを結合させた場合は、腰掛けの高さが低くなり、（ロ）は場合は高くなる。このように、腰掛けマット１２の縦と横の向きを変えて、座る人の要望に応じて高さを調節することができる。なお２３ｂ´は、仏前マット座布団２１の表装の裏面側が相違する場合、その裏面側にも一方のマジックテープ（登録商標）を取り付けることを示している。
【実施例３】
【００３５】
図７は、本考案の仏前マット座布団の、さらに別の実施例を示す斜視図である。
【００３６】
本実施例の仏前マット座布団３１は、中綿内に暖房用電線からなる発熱体３９を内蔵している。そのため、寒冷時に仏前マット座布団３１を保温することができる。なお、４０はサーモスタットである。
【００３７】
発熱体３９としては、暖房用電線のほか、面状発熱体で構成させることもできる。
【産業上の利用可能性】
【００３８】
本考案の仏前マット座布団は、仏壇の前に常時敷いておくこともできるし、仏事用に何枚も敷くこともでき、広範囲に利用しうるものである。
【図面の簡単な説明】
【００３９】
【図１】本考案の仏前マット座布団に腰掛けマットを付設した一実施例を示す斜視図である。
【図２】図１の分解斜視図である。
【図３】本考案の仏前マット座布団の一実施例を示す縦断面図である。
【図４】本考案の仏前マット座布団の、表装の生地の一実施例を示し、（イ）は表生地が金蘭織物の平面図、（ロ）は裏生地がイグサの花茣蓙織物の平面図である。
【図５】本考案の仏前マット座布団の、表装の生地の別の実施例を示し、（イ）は表生地がゴブラン織物の平面図、（ロ）は裏生地がイグサの花茣蓙織物の平面図である。
【図６】本考案の仏前マット座布団に腰掛けマットを付設した状態を示し、（イ）は腰掛けマットの高さを低くした時の分解縦断面図、（ロ）は腰掛けマットの高さを高くした時の分解縦断面図である。
【図７】本考案の仏前マット座布団のさらに別の実施例を示す斜視図である。
【符号の説明】
【００４０】
１，２１             
仏前マット座布団
２，２２              腰掛けマット
３ａ，ｂ             
マジックテープ（登録商標）
２３ａ，ａ´ｂ，ｂ´  マジックテープ（登録商標）
４                   
表装の片面表地
５                   
金蘭織物
１５                 
ゴブラン織物
６                   
難燃加工のフェルト
７                   
中綿
８，１８             
表装の片面裏地のイグサの花茣蓙織物
３９                 
発熱体
４０                 
サーモスタット
Ｌ                   
仏前マット座布団の縦
Ｔ                   
仏前マット座布団の厚み
Ｗ                   
仏前マット座布団の横
ｎ                   
腰掛けマットの長さ
ｌ                   
腰掛けマットの縦
ｗ                   
腰掛けマットの横
【図１】
0003119503.tif 000003
【図２】
0003119503.tif 000004
【図３】
0003119503.tif 000005
【図４】
0003119503.tif 000006
【図５】
0003119503.tif 000007
【図６】
0003119503.tif 000008
【図７】
0003119503.tif 000009
【手続補正書】
【提出日】平成17年12月9日(2005.12.9)
【手続補正１】
【補正対象書類名】図面
【補正対象項目名】図２
【補正方法】変更
【補正の内容】
【図２】
0003119503.tif 000010